(57)【特許請求の範囲】
【請求項１】
繊維を立体的に方向性なく集合して交点で結合して厚さを３〜２０ｍｍとし、かつ繊維の空隙には表面から内部に向かって研磨粒を付着しており、なおかつ手で掴んで被研磨物を研磨できる大きさに裁断されてなる可撓性を有する不織布研磨シートであって、
表面に所定のピッチで複数の切欠ライン(2)を直線状に配列して設け、あるいは両面に貫通するように、所定のピッチで複数の切欠ライン(2)を直線状に配列して設けており、切欠ライン(2)を折り目として折り返して、折り目に切欠ライン(2)の切断面(3)を表出させて、切断面(3)と表面との境界を突出峰(4)とし、突出峰(4)を２列に対向するように設けて、２列の突出峰(4)の内側を切断面(3)とし、折り目に表出される切断面(3)で被研磨物を研磨できるようにしてなる不織布研磨シート。
【請求項２】
複数の切欠ライン(2)を平行に設けている請求項１に記載される不織布研磨シート。
【請求項３】
ひとつの切欠ライン(2)の長さ（Ｗ）が３〜３０ｍｍである請求項１に記載される不織布研磨シート。
【請求項４】
切欠ライン(2)と隣の切欠ライン(2)との間隔（ｄ）が切欠ライン(2)の長さ（Ｗ）の１／１０〜１０倍である請求項１に記載される不織布研磨シート。
【請求項５】
全体の大きさが２５〜５０００ｃｍ２である請求項１に記載される不織布研磨シート。
【請求項６】
全体の形状が四角形である請求項１または５に記載される不織布研磨シート。
【請求項７】
全体の形状が四角形で、対向する長辺の中央に位置して短辺と平行に切欠ライン(2)を設けている請求項６に記載される不織布研磨シート。
【請求項８】
全体の形状が四角形で、長辺と短辺の中央に位置して、短辺と長辺と平行に切欠ライン(2)を直交するように設けている請求項６に記載される不織布研磨シート。
【請求項９】
全体の厚さが５〜１５ｍｍである請求項１に記載される不織布研磨シート。
【発明の詳細な説明】
【０００１】
【発明の属する技術分野】
本発明は、手で掴んで被研磨物を研磨する不織布研磨シートに関する。
【０００２】
【従来の技術】
手で掴んで使用する大きさの不織布研磨シートは、種々の用途に多く使用される。たとえば、金属表面の錆落しや下地処理に使用される。不織布研磨シートはクッション性があるので凹凸のある被研磨物の研磨に特に便利に使用できる。この不織布研磨シートは、繊維を立体的に方向性のないように集合して不織布とし、得られた不織布の繊維の隙間に研磨粒を付着して製造される。不織布は、移動するベルトの上に、所定の長さに切断している繊維を方向性なく落下させて所定の厚さに集合し、これらの繊維の交点を接着して製造される。さらに、不織布に研磨粒を付着し、所定の厚さにプレスし、その後、所定の大きさに裁断して製造される。
【０００３】
【発明が解決しようとする課題】
以上のようにして製作される不織布研磨シートは、手で掴み、表面を被研磨物に押圧して研磨する。この状態で被研磨物を研磨できるが、凹凸のある被研磨物の表面、とくに凹部を効率よく研磨するのが難しい。不織布研磨シートはクッション性があるので、手で凹部に押圧して研磨できるが、小さい凹部や深い凹部を内部まで研磨するのが難しい。凹部はブラシで効率よく研磨できる。ただブラシでは平面を効率よく綺麗に研磨するのが難しい。また、ブラシは、無数の毛を基台に方向を揃えて植え付けて製作するので、製造コストが高くなる。また、基台に植え付けて自立できる太さの毛を使用するので、細くて長い毛を多数に植え付けするとさらに手間がかかって製造コストが高くなる。
【０００４】
本発明は、このような欠点を解決することを目的に開発されたものである。本発明の重要な目的は、手で掴んで、小さい凹部のある被研磨面と平滑な研磨面の両方を能率よく研磨できる不織布研磨シートを提供することにある。
【０００５】
【課題を解決するための手段】
本発明の不織布研磨シートは、繊維を立体的に方向性なく集合して交点で結合して厚さを３〜２０ｍｍとし、かつ繊維の空隙には表面から内部に向かって研磨粒を付着しており、なおかつ手で掴んで被研磨物を研磨できる大きさに裁断しており、可撓性を有する。さらに、不織布研磨シートは、表面に、あるいは両面に貫通するように、所定のピッチで複数の切欠ライン２を直線状に配列して設けている。不織布研磨シートは、切欠ライン２を折り目として折り返して、折り目に表出される切欠ライン２の切断面３で被研磨物を研磨できるようにしている。
【０００６】
本発明の不織布研磨シートは、複数の切欠ライン２を平行に設けることができる。ひとつの切欠ライン２の長さ（Ｗ）は、３〜３０ｍｍとすることができる。切欠ライン２と隣の切欠ライン２との間隔（ｄ）は、切欠ライン２の長さ（Ｗ）の１／１０〜１０倍とすることができる。さらに、不織布研磨シートは、全体の大きさを２５〜５０００ｃｍ２とすることができる。
【０００７】
さらに、本発明の不織布研磨シートは、全体の形状を四角形とすることができる。この不織布研磨シートは、対向する長辺の中央に位置して、短辺と平行に切欠ライン２を設けることができる。さらに、全体の形状が四角形である不織布研磨シートは、長辺と短辺の中央に位置して、短辺と長辺と平行に切欠ライン２を直交するように設けることもできる。さらに、不織布研磨シートは、全体の厚さを５〜１５ｍｍとすることができる。
【０００８】
【発明の実施の形態】
以下、本発明の実施例を図面に基づいて説明する。ただし、以下に示す実施例は、本発明の技術思想を具体化するための不織布研磨シートを例示するものであって、本発明は不織布研磨シートを下記のものに特定しない。
【０００９】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１０】
図１に示す不織布研磨シート１は、繊維を立体的に方向性なく集合してその交点で結合して厚さを３〜２０ｍｍとしている。この不織布研磨シート１は、繊維の空隙に、表面から内部に向かって研磨粒を付着している。研磨粒は表面から内部まで均一に付着され、あるいは、表面に内部よりも高い濃度で付着される。内部まで均一に研磨粒を付着している不織布研磨シート１は、研磨粒を混練しているバインダー液に不織布を浸漬し、余分なバインダーを絞り取り、その後バインダーを乾燥して製作される。表面に高濃度に研磨粒を付着している不織布研磨シート１は、不織布をバインダーに浸漬した後、余分なバインダーを絞り取り、あるいは不織布に表面からバインダーを噴霧して付着し、その後、研磨粒を表面から内部に向かって噴射して製作される。また、研磨粒を混練しているバインダーを不織布に表面から内部に向かって噴霧して、表面に内部より高濃度に研磨粒を付着することができる。
【００１１】
本発明の不織布研磨シートは、手で掴んで被研磨物を研磨できる大きさとしている。この不織布研磨シート１は、不織布に研磨粒を付着してバインダーを硬化させた後、手で握って使用できる大きさに裁断して製作される。手で掴んで使用できる不織布研磨シート１は、全体の大きさを２５〜５０００ｃｍ２、好ましくは１００〜１０００ｃｍ２、さらに好ましくは２００〜５００ｃｍ２とする。図に示す不織布研磨シート１は、全体の形状を四角形として、その大きさを前述のようにしている。不織布研磨シートは、全体の形状を必ずしも四角形とする必要はなく、多角形、楕円形、円形、あるいはハート形等の種々の形状とすることもできる。
【００１２】
不織布研磨シート１は、繊維を切断して所定の形状に裁断される。したがって、不織布研磨シート１の外周面は、切断された繊維の切断端が無数に表出している。いいかえると、不織布研磨シート１の外周面は、繊維の切断面３となる。繊維の切断面３となる外周面は、切断された多数の繊維の端部が、ブラシの先端ように表出しているので、両面よりも効果的に凹凸のある被研磨物を能率よく研磨できる。
【００１３】
不織布研磨シート１は、手で折り曲げできる程度の可撓性を有する。折り曲げて使用するからである。不織布研磨シート１が硬すぎると、折り返して使用できなくなる。したがって、不織布研磨シート１の可撓性は、折り曲げできる程度とする。不織布研磨シート１の可撓性、すなわち硬さは、研磨粒を付着するバインダーの硬度と、バインダーの使用量と、不織布自体の硬さと、バインダーが硬化する前に不織布をプレスする程度とで調整できる。さらに、全体の厚さでも可撓性が変化するので、不織布研磨シート１の厚さは、２０ｍｍよりも薄く、好ましくは１５ｍｍよりも薄く、さらに好ましくは１０ｍｍよりも薄く製作される。ただ、不織布研磨シート１が薄すぎると、切欠ライン２の切断面３で効率よく研磨できなくなるので、３ｍｍよりも厚く、好ましくは５ｍｍよりも厚く製作される。
【００１４】
不織布に研磨粒を付着するバインダーには、耐熱特性に優れたものが適している。たとえば、フェノール樹脂、エポキシ樹脂、シリコン樹脂、ウレタン樹脂等の接着材が使用できる。バインダーの種類と塗布量は、不織布研磨シート１の可撓性と伸縮性を調整する。硬く硬化するバインダーの塗布量を多くすると、不織布研磨シート１は硬くなって可撓性が少なくなりクッション性も少なくなる。反対に柔軟なバインダーを使用し、あるいはバインダーの塗布量を少なくすると柔軟になって折曲しやすくなる。硬いバインダーとしてフェノール樹脂系、エポキシ樹脂系接着剤を使用し、柔軟なバインダーとしてシリコン樹脂系、ウレタン樹脂系の接着剤が使用できる。
【００１５】
不織布研磨シート１は、表面ないしは両面に貫通するように、所定のピッチで複数の切欠ライン２を直線状に配列して設けている。この切欠ライン２を折り目として折り返して、折り目に表出される切欠ライン２の切断面３で被研磨物を研磨できるようにしている。
【００１６】
切欠ライン２は、図２の断面図に示すように両面を貫通して設けられ、あるいは図３と図４に示すように、貫通することなく表面に設けられる。図３の不織布研磨シート１は片面に切欠ライン２を設けており、図４の不織布研磨シート１は両面の対向する位置に切欠ライン２を設けている。切欠ライン２は、その長さ（Ｗ）を３〜３０ｍｍ、好ましくは５〜２０ｍｍとしている。切欠ライン２は、短過ぎると切欠ライン２の切断面３で効率よく被研磨物を研磨するのが難しくなる。反対に、長過ぎると切欠ライン２の両側をしっかりと連結できなくなる。切欠ライン２と隣の切欠ライン２の間隔（ｄ）は、切欠ライン２の長さ（Ｗ）の１／１０〜１０倍、好ましくは１／５〜２倍、さらに好ましくは１／３〜１倍とする。切欠ライン２の間隔（ｄ）が長すぎると、切欠ライン２の切断面３が短くなり、反対に短すぎると切欠ライン２の両側をしっかりと連結できなくなる。
【００１７】
不織布研磨シート１が切欠ライン２で折曲された状態を、図５〜図７に示す。不織布研磨シート１は、これ等の図に示すように、切欠ライン２を折り目として折り返すと、折り目に切欠ライン２の切断面３が表出されて、切断面３と表面との境界を突出峰４とする。突出峰４は、図に示すように折曲面に２列に対向するように設けられる。対向する２列の突出峰４は、その内側を研磨効率の高い繊維の切断面３とする。この構造の突出峰４は、効率よく研磨できる構造で突出するので、被研磨物の凹部をとくに能率よく研磨できる。さらに、不織布研磨シート１は、切欠ライン２を所定のピッチで設けているので、突出峰４も所定のピッチで設けられる。突出峰４の間、すなわち切欠ライン２を設けていない連結部５は、図８の断面図に示すように突出峰４より低くなる。したがって、折曲面は縦方向に向かって、突出峰４と連結部５とで凹凸面となる。凹凸面となる折曲面は、突出峰４を強く被研磨物に押圧して、さらに効率よく被研磨物を研磨する。
【００１８】
図１の不織布研磨シート１は、全体の形状を四角形として、対向する長辺の中央に位置して、短辺と平行に切欠ライン２を設けている。この不織布研磨シート１は切欠ライン２で折曲して半分の大きさとして使用される。ただし、本発明の不織布研磨シート１は、図９に示すように、全体の形状が四角形で、長辺と短辺の中央に位置して、短辺と長辺と平行に切欠ライン２を直交するように設けることができる。また、複数の切欠ラインを所定の間隔で平行に設けることもできる。
【００１９】
【発明の効果】
本発明の不織布研磨シートは、手で掴んで、小さい凹部のある被研磨面と平滑な研磨面の両方を能率よく研磨できる特長がある。それは、本発明の不織布研磨シートが、手で掴んで被研磨物を研磨できる大きさに裁断され、かつ、表面又は両面に貫通して所定のピッチで切欠ラインを直線状に配列して設けており、この切欠ラインを折り目として折り返して、折り目に表出される切欠ラインの切断面で被研磨物を研磨できるからである。折り返した不織布研磨シートは、切欠ラインの切断面に繊維の切断端面が無数に表出されると共に、この切断面と表面との境界が突出して突出峰となる。突出峰は、折曲面に２列に対向して設けられ、その内側を研磨効率の高い繊維の切断面とするので、深い凹部を効率よく研磨できる。
【図面の簡単な説明】
【図１】本発明の一実施例にかかる不織布研磨シートの斜視図
【図２】図１に示す不織布研磨シートの断面図
【図３】本発明の他の実施例にかかる不織布研磨シートの断面図
【図４】本発明の他の実施例にかかる不織布研磨シートの断面図
【図５】図１に示す不織布研磨シートを切欠ラインを折り目として折り返した状態を示す断面斜視図
【図６】図５に示す不織布研磨シートの平面図
【図７】図６に示す不織布研磨シートのＡ−Ａ線断面図
【図８】図６に示す不織布研磨シートのＢ−Ｂ線断面図
【図９】本発明の他の実施例にかかる不織布研磨シートの斜視図
【符号の説明】
１…不織布研磨シート
２…切欠ライン
３…切断面
４…突出峰
５…連結部
【図１】
0003628318.tif 000002
【図２】
0003628318.tif 000003
【図３】
0003628318.tif 000004
【図４】
0003628318.tif 000005
【図５】
0003628318.tif 000006
【図６】
0003628318.tif 000007
【図７】
0003628318.tif 000008
【図８】
0003628318.tif 000009
【図９】
0003628318.tif 000010